(57)【要約】本発明は、シリンジバレルと、前記シリンジバレルの基端部に接続されたリング（６）とを備えるシリンジに関する。前記シリンジバレルはこの目的のための基部フランジを有し、リング（６）は前記フランジと協働するように設計された組み立て手段（４８）を具えている。本発明によれば、組み立て手段は弾性変形可能な楕円形のカラーを形成する２つの組み立て部品（４８）から成っている。リング（６）はそれ自身の領域のもっとも遠い部分で前記カラーと接続し、前記フランジの外径よりも長い距離でお互いに分離されている。カラーが変形していない状態で、互いに閉鎖したゾーンはフランジの外径よりも短い距離でお互いに離れている。
2004524906.tif 000002
【特許請求の範囲】
【請求項１】
シリンジ本体（２）と、該シリンジ本体（２）とその基端部で接続されるように意図されたリング（６）とを有するシリンジまたはそれに類似の装置であって、
前記シリンジ本体（２）はリング（６）と接続するための基部フランジ（１２）を有し、前記リング（６）は該フランジと協働することができる接続手段（４８）を具えており、
前記リング（６）におけるシリンジ（１）との接続手段は、
ほぼ環を形成するように配置された、２つの湾曲状の接続部品（４８）であって、リング（６）と周辺ゾーンの領域で接続され、ある程度の弾性的可撓性を有する材料で作られており、前記接続部品（４８）の周辺ゾーンは、前記フランジ（１２）の外径よりも長い距離で離れてお互いに位置が定められており、一方、接続部品（４８）の中央ゾーンは前記接続部品（４８）が変形していない状態で、前記フランジ（１２）の外径よりも短い距離で離れてお互いに位置が定められており、これら中央ゾーンはリング（６）の側面でシリンジ本体（２）が接続部品を介して係合されることによって、中央ゾーンに半径方向の隙間ができるような形状のベベル（６０）を有している接続部品（４８）と、
前記フランジ（１２）に対して末端方向で少なくとも一つが当接するように形成された末端当接手段（４７）と、
を具えることを特徴とするシリンジまたはそれに類似の装置。
【請求項２】
前記接続部品（４８）は前記フランジ（１２）に対抗して係合するためのボスを具えることを特徴とする請求項１に記載のシリンジ。
【請求項３】
前記末端当接手段（４７）は、２つのフォーク状のホルダ部品（４７）で、一対の腕（５５）と該腕（５５）とリング（６）とを接続する接続体（５６）とを具えるものを有し、前記それぞれのフォークの腕（５５）はシリンジ本体（２）を部分的に取り囲むことができる形状であり、
前記ホルダ部品（４７）の少なくとも一方は、特にその接続体（５６）の領域において可撓性の構造を具えており、腕（５５）が離れるように配置され、一方で、前記接続部品（４８）はそれぞれフランジ（１２）の厚みよりも薄くなっていることを特徴とする請求項１または２に記載のシリンジ。
【請求項４】
ホルダ部品（４７）のそれぞれの接続体（５６）はＬ字型の形状を有しており、それは、前記リング（６）の台と接続し、このリング（６）の軸方向とほぼ平行に配置された底部と、前記腕（５５）と接続し、前記リング（６）の軸方向にほぼ垂直に配置された中間部とを具えていることを特徴とする請求項３に記載のシリンジ。
【請求項５】
ホルダ部品（４７）の少なくとも一方は、ホルダ部品（４７）が変形されていない状態でその腕（５５）が前記接続部品（４８）の方向に傾くように形成されていることを特徴とする請求項３または４に記載のシリンジ。
【請求項６】
ホルダ部品（４７）は直径に沿って対峙していることを特徴とする請求項３ないし５のいずれかに記載のシリンジ。
【請求項７】
前記腕（５５）はある程度の弾性的可撓性を有する材料で作られており、それは、それらとしっかりしたグリップと異なる外径のシリンジ本体（２）との間の受け入れが可能となるように弾性的に形成可能となるものであることを特徴とするし３ないし６のいずれかに記載のシリンジ。
【請求項８】
前記ホルダ部品（４７）の前記腕（５５）のそれぞれは、半径方向内側に突き出たボスを少なくとも一つは具えていることを特徴とする請求項３ないし７のいずれかに記載のシリンジ。
【請求項９】
シリンジ本体（２）の周囲で係合する保護ケーシング（５）を具え、該保護ケーシングと該本体（２）は、シリンジの針（１１）が露出された前記シリンジ（１）の使用位置と、使用後、刺傷や切傷およびそれから想定される使用者の感染からのいかなる危険性を防止するように、前記ケーシング（５）によってこの針（１１）が包囲された安全位置との間を相互に移動可能であり、少なくとも一つの長手方向のスロットすなわち切欠を備える保護ケーシング（５）と、
シリンジ本体（２）と保護ケーシング（５）を互いに前記使用位置と安全位置との間に配置する手段を形成するリング（６）であって、この目的のために前記リングは保護ケーシング（５）の内側に収容される部分を具えており、さらに、シリンジ本体を保持するための部分（４７）を具え、その少なくとも一つの支持部分（４５）は前記スロットすなわち切欠（３２）を介して係合し、保護ケーシング（５）の上に突き出し、使用者の手の人差し指と中指を支持するように働くものであるリング（６）と、
２つの入れ子式部品（１５，１６）を具えるシリンジ（１）のプランジャロット（４）であって、該入れ子式部品の一方は末端部分が前記シリンジのプランジャ（３）に接続され、そのうちの他方は基部部分は前記ユーザの親指のための支持部品を形成する頭部（１７）を有するプランジャロットと、を具え、
少なくとも一つの破壊可能なブリッジ（２０）が前記プランジャロットの２つの入れ子式部品（１５，１６）と接続し、前記ブリッジまたはブリッジ群（２０）は前記支持部品（４５）および前記頭部（１７）上に及ぼされる対抗する力の閾値を超えると破壊可能であり、この閾値は、プランジャ（３）を変位させるのに必要な力よりは大きいが使用者が前記支持部品（４５）および前記頭部（１７）上に手で及ぼす対抗する力よりも小さいものであることを特徴とする請求項１ないし８のいずれかに記載のシリンジ。
【請求項１０】
前記リング（６）は前記ケーシング（５）の通路となる開口部（３５）をさらに備え、該開口部（３５）の領域には、リング（６）がケーシング（５）に対して回転するのを止めることができる楔結ショルダを具えていることを特徴とする請求項９に記載のシリンジ。
【請求項１１】
開口部（３５）のそれぞれは、接続部品（４８）に対応する程度の可撓性を与えるために、スリット（４１）の形成において、ショルダ（４０）の上まで伸びていることを特徴とする請求項１０に記載のシリンジ。
【請求項１２】
医療に安全に使用される装置であって、
（ａ）シリンジ型のサブアセンブリ（１）であって、基準軸にそって細長い本体（２）と、軸方向に配置され、前記本体の末端でその内部と連通する針（１１）と、末端側の当接位置まで前記本体の内側を移動可能なプランジャ（３）と、前記本体（２）の基端で、基部支持部品（１７）とともに出現するプランジャロット（４）とを具えるサブアセンブリ（１）と、
（ｂ）前記本体（２）を取り囲んで設置された保護ケーシング（５）であって、２つの位置、すなわち、針（１１）が露出されている露出位置（図２参照）と、針（１１）が完全に前記保護ケーシング（５）の中に保持されている安全位置（図１０参照）との間で本体（２）に対して軸方向に移動可能な保護ケーシング（５）を具える安全用サブアセンブリと、
を具える装置であって、それとともに、
（ｉ）前記保護ケーシング（５）は、前記保護ケーシングの露出位置で前記本体（２）の基端を越えて基部（２６）まで連続され、前記プランジャロット（４）は前記基部（２６）の末端から出現し、
（ｉｉ）前記駆動リング（６）は前記本体（２）基端から半径方向に延びて、前記本体と一体化されており、前記本体（２）のいずれかの側に外側支持部分（４５）を備え、
（ｉｉｉ）前記駆動リンク（６）と前記保護ケーシング（５）の基部（２６）との間の軸方向スライド手段であって、前記基部が前記リング（６）を通して変形自由に取り付けられている手段（４１）と、
（ｉｖ）前記プランジャ（３）がその末端の当接位置にあるとき、前記基部の支持部品（１７）上の軸方向押圧を用いて、前記プランジャロッド（４）をそれ自体の上で軸方向に引き込み、それによって、前記基部の支持部品（１７）が前記保護ケーシング（５）の基端に対して当接し、その後保護ケーシングを再び押圧することによって、その安全位置の方へ変位させる手段（２０）と
を具えることを特徴とする請求項１ないし１１のいずれかに記載の装置。
【発明の詳細な説明】
【技術分野】
【０００１】
本発明は、シリンジまたはそれに類似する装置に関する。
【背景技術】
【０００２】
シリンジの中には、基端部でリングと接続するように意図されたシリンジ本体を備えているものもある。そのようなケースは特に、シリンジ本体を取り囲んで係合する保護ケーシングを備え、このケーシングとこの本体は相対的に、シリンジの針が露出している装置の使用位置と、この針がケーシングに取り囲まれている安全位置との間を移動可能であり、このような方法で刺傷や切傷といった危険や、これによって想定される使用者の感染といったいかなる危険性を防止し、そして、前述のリングは前記本体及び前記ケーシングを相対的に前記使用位置と安全位置との間に配置する手段を形成する。
【０００３】
このタイプの現存のシリンジは、基部フランジを有するシリンジ本体を具えており、リングはこのフランジと協働することが可能な接続手段を具えている。
【０００４】
そのような現存のシリンジの中で、シリンジ本体とリングとの接続を解除できないようにする、また解除するのが非常に難しいというようにならないといった主たる欠点を有するものがいくつかある。
【０００５】
これらの既存のシリンジはまた、それらの比較的複雑な構造に関連し、またそれらの構成要素の寸法公差、またはこれらの構成要素が互いに接合することに伴う寸法公差の結果として生じる生産上の問題、または前記各構成要素間に遊びが存在することに伴う様々な欠点を有する。
【発明の開示】
【発明が解決しようとする課題】
【０００６】
本発明は、これらの欠点のすべてに対処することを目的とする。
【０００７】
したがって、その主たる目的はシリンジ本体とリングとの接続を解除できない、または少なくとも非常に困難にすることができるシリンジを形成することである。
【０００８】
本発明の別の目的は、シリンジの構造またはアセンブリを複雑にし過ぎることなく、またはこの構造およびこのアセンブリを既存のシリンジと比べて単純化さえもすることによって、上記の目的を達成することである。
【課題を解決するための手段】
【０００９】
当該シリンジは、シリンジ本体と、該シリンジ本体とその基端で接合されるように意図されたリングとを備え、シリンジ本体は本目的のための基部フランジを有し、リングはこのフランジと協働することができる接続手段を具えている。
【００１０】
本発明によれば、前記リングにおける接続手段は、
環をおおむね形成するような方法で配置された湾曲状の２つの接続部品であって、該接続部品は、周辺ゾーンの領域でリングと接続されており、ある程度の弾性的な可撓性を有する材料で形成されており、その接続部品の周辺ゾーンは、前記フランジの外径よりも長い距離で互いに配置されており、一方、その接続部分が変形しない状態での中央ゾーンはフランジの内径よりも短い距離で互いに配置されており、シリンジ本体が接続部品を通って係合されていることによって、リングの側面において、この係合の間、その中央ゾーンの半径方向の隙間を可能とするように形成されたベベルを、それら中央ゾーンは有しているような２つの接続部品と、
少なくともフランジに対して末端方向で一方が当接するように形成された末端方向当接手段と、
を具えることを特徴とする。
【００１１】
そのような接続部品の間におけるフランジの係合によって、前記中央ゾーンの領域における接続部品が弾性変形し、ベベルは半径方向の隙間を形成するようになる。ひとたび、フランジがその接続部品上で係合されれば、それら接続部品をなす物質の弾性戻りによって、シリンジ本体のロックを確実なものとする。
【００１２】
前記接続部品はフランジに対抗して係合するためのボスを有していてもよい。
【００１３】
さらに、前記末端当接手段は、二つのフォーク状のホルダ部品を具え、それらはそれぞれ一対の腕とその腕をリングに接続するための接続体と具え、各フォークの腕はシリンジ本体を部分的に取り囲むことができるような形状をしており、
前記ホルダ部品の少なくとも一方で、特にその接続体の領域は可撓性の構造であり、二つの腕が離れるように配置され、一方で、前記接続部分はそれぞれフランジの厚みよりも薄くなっているのが好ましい。
【００１４】
前記ホルダ部品またはホルダ部品群の両方は、フランジがホルダと前記接続部品との間で係合されるように形成されており、そして、それらはこのフランジが接続部品に対して平坦を保持するようになっている。これによって、シリンジ本体の軸方向の完全なる固定化が得られる。本発明の好ましい実施形態によれば、それぞれのホルダ部分接続体はＬ字型の形状をしており、前記リングの台と接続され、前記リングの軸にほぼ平行に配列された底部部品と、前記腕に接続され、前記リンクの軸にほぼ垂直に配置された中間部品とを具えている。
【００１５】
このＬ字型はホルダ部品の変形に有利となる。
【００１６】
また、ホルダ部品の少なくとも一方は、ホルダ部品が変形しない状態において、それぞれの腕が前記接続部品の方向に傾けられるようにして形成されているのが好ましい。
【００１７】
ホルダ部品は直径方向にそって対峙しているのが好ましい。
【００１８】
前記腕はある程度の弾性的可撓性を有する材料で作られており、それは、それらと把持するグリップと異なる外径のシリンジ本体との間の受け入れが可能となるように弾性的に形成されることが可能となるようなものである。
【００１９】
ホルダ部品のそれぞれの腕は少なくとも半径方向内側に突き出した一つのボスを具えていてもよい。
【００２０】
シリンジは、
シリンジ本体を取り囲んで係合する保護ケーシングであって、このケーシングとこの本体とは、シリンジの針が露出された前記シリンジの使用位置と、使用後、刺傷や切傷およびそれから想定される使用者の感染からのいかなる危険性を防止するように、前記ケーシングによってこの針が包囲された安全位置との間を相互に移動可能であり、少なくとも一つの長手方向のスロットすなわち切欠を備える保護ケーシングと、
シリンジ本体と保護ケーシングを互いに前記使用位置と安全位置との間に配置する手段を形成するリングであって、この目的のために前記リングは保護シーケンスの内側に収容される部分を具えており、さらに、シリンジ本体を保持するための部分を具え、その少なくとも一つの支持部分は前記スロットすなわち切欠を介して係合し、保護ケーシングの上に突き出し、ユーザの手の人差し指と中指を支持するように働くものであるリングと、
２つの入れ子式部品を具えるシリンジのプランジャロットであって、該入れ子式部品の一方は末端部分が前記シリンジのプランジャに接続され、そのうちの他方は基部部分は前記ユーザの親指のための支持部品を形成する頭部を有するプランジャロットと、を具え、
少なくとも一つの破壊可能なブリッジが前記プランジャロットの２つの入れ子式部品と接続し、前記ブリッジまたはブリッジ群は前記支持部品および前記頭部上に及ぼされる対抗する力の閾値を超えると破壊可能であり、この閾値は、プランジャを変位させるのに必要な力よりは大きいが使用者が前記支持部品および前記頭部上に手で及ぼす対抗する力よりも小さいものである。
【００２１】
したがって、リングは本体とケーシングを互いに前記使用位置と安全位置との間に配置する手段を形成する。本体とケーシングとを安全位置の方へ動かすことは可能であり、シリンジが使用中に固定されるように同じ手動のグリップに関係し、この動作はこの使用の継続として認識され得る。
【００２２】
破壊可能なブリッジ及びブリッジ群を壊すことによって、シリンジ本体と保護ケーシングの突然の相対的な移動が起こり、この突然の移動が終わると、シリンジ本体とこのケーシングは安全位置に到達している。この移動は本体とケーシングの相対的な位置の不注意による制御を防止するものであるがこれに限定されるものではない。
【００２３】
このリングはケーシングの通路との開口部を具えていてもよく、それらの開口部の一部には楔結ショルダーがあり、ケーシングに対してリングが回転するのを止めるものである。
【００２４】
このことを明確に理解することを確実にするために、限定されない例として本発明が関連するシリンジの好ましい実施形態を示す添付の概略図面を参照にして、本発明を以下で再び説明する。
【発明を実施するための最良の形態】
【００２５】
図１および２は、シリンジ本体２と、プランジャ３と、プランジャロッド４と、保護ケーシング５と、ケーシング５に作用するためのリング６とを備える、安全性が改良されたシリンジ１を示している。
【００２６】
シリンジ本体２は、従来型のタイプのものであり、特にガラス製である。シリンジ本体２は、注射針１１を備える末端片１０と、以下で説明するように、本体２をリング６と接合することを可能にする半径方向外向きに突き出した基部フランジ１２とを備える。針１１は、このような末端片１０とは別の手段で固定されることが可能である。
【００２７】
プランジャ３は、従来型のタイプのものである。
【００２８】
プランジャロッド４は、２つの入れ子式部品１５、１６を備える。その末端側部品１５は、十字型の断面を有し、その基部側部品１６は、滑動によって部品１５を収容することができる管状の形状をしている。部品１５は、十字型断面以外の断面であってもよく、また、部品１５が管状の形状で、部品１６が十字型の断面を有するものであってもよい。
【００２９】
部品１６は、使用者の親指のための支持頭部１７を備える。
【００３０】
図３に、より具体的に示すように、部品１５の４つの翼部のそれぞれは、同素材からなる少なくとも１つのブリッジ２０を介して部品１６と接続され、それによってこれらの部品１５および１６が通常、図１および２に示すように延長位置に維持されている。
【００３１】
これらのブリッジ２０は十分に硬く、本体２内のプランジャ３を滑動させるべくロッド４を作用させる上で必要な力に耐えることができるが、シリンジを動かすための従来通りの操作に沿って、使用者の人差指および中指によってリング６に、および使用者の親指によって頭部１７に及ぼされる対抗する力の閾値を超えると破壊することがある。一旦これらのブリッジ２０が破壊されると、部品１５は、部品１６内を図１０に示す位置まで滑動することができる。
【００３２】
基端部で、部品１５はブリッジ２０の上に続く。この連続部２１は、部品１６の内径よりもわずかに小さい外径を有する。この連続部２１によって、ロッド４を長手方向に補強して、ブリッジ２０が壊れる前に、このロッドが横方向に弱いゾーンを有しないことを確実にすることが可能になる。
【００３３】
頭部１７は、円形の形状を有し、頭部１７の円筒形部分１７ａの境界を画定する周縁段差２３と、半径方向外向きに突き出したショルダ２４とを備える。図１１に示すように、この円筒形部分１７ａの直径は、この円筒形部分１７ａが、注射終了時に、ケーシング５の基部２６内に正確に固定されることによって係合可能とされている。
【００３４】
ケーシング５は、本体２の外径よりも大きい内径を有する末端部２５と、滑動によってリング６を受ける基部２６とを有する。このケーシング５全体は、たとえば一般的なプラスチックなどの、ある程度の弾性的な可撓性を有する合成材料によって一体的に成形されている。
【００３５】
図１および４に示すように、部分２５は、直径方向に対向する２つのＵ字型スロットを有する。Ｕ字型スロットのそれぞれはタブ３０を作成し、このタブ３０は、その底部で弾性変形によって半径方向に移動可能である。これらのタブのそれぞれの内側面は、ケーシング５に接続されていないタブ３０の端部に、このケーシングの内側に向かって突き出したボス３１を有する。
【００３６】
ケーシングの部分２６は、直径方向に対向する２つの平面２６ａを有する（図６参照）。平面の領域内に、ケーシング５の基端部で外向きに開いた２つの切欠３２がある。これらの切欠３２は、滑動によって、リング６の部品５６を受けるように意図されている。これらを以下に説明する。
【００３７】
この部分２６は、その端縁部に２つのスナップフィット歯３３を追加的に有する。これらは、リング６がケーシング５上で確実に保持されるようにすることができる。これらも以下に説明する。
【００３８】
図７を参照すると、リング６が、このリングの軸に関して対称的に配置された２つの弓形開口部３５を備えることがわかる。図６に見られるように、これらの開口部３５は、前記切欠３２の間に延びているケーシング５の部品を受けるように意図されている。
【００３９】
これらの開口部３５の長手方向端部の後ろに、楔結ショルダ４０（ｗｅｄｄｉｎｇ  ｓｈｏｕｌｄｅｒ）が設置され、それによって、ケーシング５の回転に対してリング６を楔結することができる。各開口部３５は、スリット４１の形態で各ショルダ４０の上に続く。
【００４０】
リング６は、半径方向外向きに突き出した、直径方向に対向する２つの支持翼部４５と、基部側スカート４６と、２つのホルダ部品４７と、２つの接合部品４８とを有する。このリング６全体は、たとえば一般的なプラスチックなどの、ある程度の弾性的な可撓性を有する合成材料によって一体成形されている。
【００４１】
翼部４５は、使用者の人差指および中指（図５で破線の円によって概略的に示されている）のための支持表面を形成するような寸法にされており、リング６の中間部品５０によって互いに接続されている。
【００４２】
スカート４６は、図１０および１１に示すように、注射の最後に頭部１７をしっかりと受けることができる座部を画定している。スカート４６は、図１１に見れば特にわかるように、直径方向に対向する２つの開口５１および基部側にベベル５２を有する。
【００４３】
図１０および１１に見られるように、リング６は、ケーシング５の基端と歯３３の上の点で係合して、歯をケーシング５の部分２６上に最終的にロックするように意図されている。その部品に対するベベル５２は、使用後、ショルダ２４が、開口５１の基部側の縁部の境界を画定するリング６のゾーン上に配置されたリブ５３の背部にスナップ係合するまで、壁４６によって画定された座部内への頭部１７の係合を可能にするように意図されている。このスナップ係合は、ロッド４が図１０および１１に示す位置に確実にロックされるようにする。頭部１７の部分１７ａは、歯３３を、リング６のロックを確実にする外側の半径方向位置に確実に維持する。
【００４４】
ホルダ部品４７は、直径方向に対向しており、それぞれフォーク状である。すなわち、ホルダ部品４７のそれぞれは、１対のアーム５５と、これらのアーム５５をリング６に接続する接続体５６とを備える。
【００４５】
アーム５５は、シリンジ本体２を部分的に閉鎖することができるように、ここに示した例では特に丸みを帯びた形状にされている。アームは、その近位の側部に形成された傾斜５７を有する。この手段によって、シリンジ本体２が、リング６を通って導入されるように意図されている。
【００４６】
各アーム５５はまた、その自由端に、半径方向内向きに突き出したボス５８を備える。アーム５５は、複数のこのようなボスを備えることができる。
【００４７】
各ホルダ部品４７の接続体５６は、Ｌ字型の形状を有する。すなわち、接続体５６は、リング６の残りに接続され、このリング６の軸とほぼ平行に配置された底部部品と、前記アーム５５に接続され、このリング６の軸とほぼ垂直に配置された中間部品とを備える。
【００４８】
底部部品は、翼部４５が突き出しているのと同じ直径上に配置されている。
【００４９】
図５に示すように、接続体５６は、リング６がケーシング５上に固定された後、前記中間部品が滑動によって切欠３２内に係合され、前記底部部品が、部分２６の平面２６ａによってケーシング５の壁に対して突き出すようにして構成されている。
【００５０】
図８および９を参照することによって分かるように、各アーム５５は、それらの間でシリンジ本体２を受けて、しっかりと把持するように意図されている。また、各アーム５５は、異なる外直径のシリンジ本体２、特に図８に示す「０．５ｍｌ」と称されるシリンジ本体２、および図９に示す「１ｍｌ」と称されるシリンジ本体２をそれらの間で受けて、しっかりと把持することができるように弾性変形することができる。
【００５１】
ベベル５７は、シリンジ本体２をこれらのアーム間に係合することをより容易にし、ボス５８は小さい直径のシリンジ本体２の固定およびセンタリングを確実にする。
【００５２】
接続体５６がリング６の半径方向に比較的可撓性を有することによって、アーム５５をいくつかの別個の半径方向位置に配置することが可能になり、したがって、広範囲のシリンジ本体直径にわたって、シリンジ本体２を良好に締結することが確実になる。
【００５３】
図４から推測されるように、これらの部品におけるタブ３０およびボス３１によって、異なる外径のシリンジ本体２を横方向に楔結することが可能になり、ボス３１の十分な隙間を可能にするために、タブ３０は必要に応じて外向きに変形する。
【００５４】
また、接続体５６の前記底部部品の存在によって、図５に示すように、使用者の指をケーシング５の壁から離すことが可能になり、それによって、ロッキングシステムの作動運動を遅延させる、またはこのロッキングを危うくさえもする摩擦のいかなる危険性も除去される。
【００５５】
２つの接合部品４８が、一方ではリング６の中央開口によって、他方では開口部３５によって境界を画定されている。これらは、半径方向に弾性変形可能であるような厚さを有し、この変形可能性は、スリット４１のおかげで顕著なものにされる。
【００５６】
これらの部品４８は、接続体５６の底部部品の近傍で互いから最も遠い周縁ゾーンでリング６と接続された、たとえば楕円形状の環を構成する。これらの周縁ゾーンは、互いから、本体２のフランジ１２の外直径よりも大きい距離に配置されるが、互いに最も近いこのリングの中間ゾーンは、このフランジ１２の外径よりも小さい距離に、リングの変形しないようにして互いに配置される。
【００５７】
図１１は、ケーシング５の近位の部品２６が、この近位の部品２６の壁と前記環の中間ゾーンの間に空間を有するような直径を有し、この空間によってこれらの中間ゾーンの半径方向の変形が可能にされることを示している。
【００５８】
また、ベベル６０が、これらの同じ中間ゾーンに配置されている。
【００５９】
図６、８、９および１１から推測されるように、フランジ１２は、前記楕円環を通って、部品４８の点と係合するように意図されている。これらの部品４８のベベル６０は、前記中間ゾーンの隙間を許して、フランジ１２の通過を可能にする。これらの部品４８がその初期形状に弾性的に戻ることによって、フランジ１２をこれらの部品４８上にロックすることが可能になる。
【００６０】
別の実施形態では、接合部品４８は、最も変形可能な中間ゾーンで、１つまたは複数のボスとともにほぼ円形の環を構成することができる。
【００６１】
そのとき、本体２は、いかなる半径方向の遊びもなく、極めて制限された軸方向の遊びで、リング６と完全に接続される。
【００６２】
実際は、図２と１０を比較することによって理解されるように、使用者が、前記の通例の操作に沿って、翼部４５および頭部１７にそれぞれ、彼の中指および人差指を用いて、また、親指を用いて対抗する圧力を及ぼすことによって注射を行う。
【００６３】
注射の終わりに、プランジャ３がシリンジ本体２の底部と当接する、または頭部１７がケーシング５と当接する。そのとき、前記対抗する力が、より強く作用して、ブリッジ２０が破壊することがある。この結果、リング６の、およびしたがってシリンジ本体２の頭部１７に対する突然の相対変位が生じ、リング６および頭部１７が図１０に示す安全な位置に到達する。この位置で、針１１が、ケーシング５の内側に完全に引き込まれる。
【００６４】
この突然の運動は、注射のためにシリンジ１を使用する操作の続きとして実現される。この運動の突然の性質によって、接続体５６の前記底部部品があることによって生じる、使用者の指のケーシング５からの間隔と連係して、すべての場合で安全位置に実際に到達することを確実にする。
【００６５】
頭部１７は、ショルダ２４をリブ５３の背部に係合することを用いて、この突然の運動の最後に自動的にロックされる。図１１に示すように、頭部１７の部分１７ａのケーシング５の基端における係合が解除され、または少なくともロッド４をロック解除しようとする試みが極めて困難にされる。
【００６６】
上記のことから明らかになるように、本発明は、使用が終了すると、このシリンジに対して、シリンジ本体とリングの間にいかなる遊びなしに、もしくは遊びを減らして互いに接続させることによって、シリンジ本体とリングとの接続をはずすことができない、もしくは少なくとも非常に困難にするといった主要な利点を有する有効なシリンジを形成する。
【００６７】
言うまでもなく、本発明は、上記で一例として説明した実施形態に限定されず、添付の特許請求の範囲によってカバーされたすべての代替的な実施形態を包含するものである。すなわち、本発明は、医療に用いられる装置に関し、
（ａ）基準軸上の細長い本体と、その末端部で前記本体の内部と連通している、軸方向に配置された針と、前記本体の内部で末端の当接位置まで変位可能なプランジャと、基部側の支持部品を備える、前記本体の基端部に出現するプランジャロッドとを備える、シリンジタイプのサブアセンブリと、
（ｂ）本体の周囲に取り付けられ、２つの位置、すなわち針が露出された露出位置と針が前記保護ケーシングの内部に完全に入っている安全位置との間で本体に対して軸方向に変位可能な保護ケーシングを備える安全用サブアセンブリとを備えるものである。
【００６８】
本発明によると、それとともに、
（ｉ）前記保護ケーシングが、前記保護ケーシングの露出位置で本体の基端部の先の基部まで連続され、プランジャロッドが、前記基部の基端部から出現しており、
（ｉｉ）駆動リングが、本体の基端部から半径方向に延びて、本体と一体化されており、本体のいずれかの側に外側支持部分を備え、
（ｉｉｉ）前記駆動リングと前記保護ケーシングの基端部との間の軸方向滑動手段であって、前記基端部が、リングを通して変形自由に取り付けられている手段と、
（ｉｖ）前記プランジャがその末端側の当接位置にあるとき、基部側の支持部品上の軸方向押圧を用いて、前記プランジャロッドをそれ自体の上で軸方向に引き込み、それによって、前記基部側の支持部品が、前記保護ケーシングの基端部と当接し、その後、保護ケーシングを再び押圧することによって、その安全位置のほうへ変位させるための手段を特徴とする、医療用デバイスに関する。
【図面の簡単な説明】
【００６９】
【図１】このシリンジの中に入った製品の注射する前を示すシリンジの透視図である。
【図２】シリンジの長手方向側部断面図である。
【図３】シリンジが備えるプランジャロッドの一部分の拡大図である。
【図４】シリンジが備える保護ケーシングの長手方向側部断面拡大詳細図である。
【図５】このケーシングおよびシリンジが備える駆動リングの側面拡大図である。
【図６】シリンジの基端からの、このケーシングおよびこのリングの軸面図である。
【図７】この同じリングの斜視図である。
【図８】シリンジの遠端部からの、このリングおよびそれに接合されたシリンジ本体の軸面図である。
【図９】図８に示したシリンジ本体よりも大きな直径のシリンジ本体をリング内に配置した後の図８と同様の図である。
【図１０】一旦注射が行われた後の図２と同様のシリンジの図である。
【図１１】一旦注射が行われた後のシリンジの基端部の拡大断面図である。
【図１】
2004524906.tif 000003
【図２】
2004524906.tif 000004
【図３】
2004524906.tif 000005
【図４】
2004524906.tif 000006
【図５】
2004524906.tif 000007
【図６】
2004524906.tif 000008
【図７】
2004524906.tif 000009
【図８】
2004524906.tif 000010
【図９】
2004524906.tif 000011
【図１０】
2004524906.tif 000012
【図１１】
2004524906.tif 000013
【国際公開パンフレット】
2004524906.tif 000014
2004524906.tif 000015
2004524906.tif 000016
2004524906.tif 000017
2004524906.tif 000018
2004524906.tif 000019
2004524906.tif 000020
2004524906.tif 000021
2004524906.tif 000022
2004524906.tif 000023
2004524906.tif 000024
2004524906.tif 000025
2004524906.tif 000026
2004524906.tif 000027
2004524906.tif 000028
2004524906.tif 000029
2004524906.tif 000030
2004524906.tif 000031
2004524906.tif 000032
2004524906.tif 000033
2004524906.tif 000034
2004524906.tif 000035
【国際調査報告】
2004524906.tif 000036
2004524906.tif 000037
2004524906.tif 000038
2004524906.tif 000039
2004524906.tif 000040
2004524906.tif 000041